(57)【要約】【課題】ステップやスカートガードパネルの内側の様子をそのステップやスカートガードパネルを取り外すことなく目視して点検でき、したがってその目視で特定した異常個所のステップやスカートガードパネルを取り外すだけで、無駄なく効率よくその異常個所を点検し、補修することができる乗客コンベアを提供する。【解決手段】複数のステップ８が無端状に連結され、そのステップ８の両側にスカートガードパネル１２が設置され、ステップ８が無限循環移動する乗客コンベアにおいて、ステップ８及びスカートガードパネル１２に、それぞれ電気的な制御で透明、不透明化が可能な透視可能部２４，３０を設け、保守点検時にその各透視可能部２４，３０を透明化することで乗客コンベアの外部からステップ８の内側内方及びスカートガードパネル１２の内側内方への目視を可能にする。【選択図】    図１
2011020802.tif 000002
【特許請求の範囲】
【請求項１】
乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、
前記ステップに、電気的な制御で透明、不透明化が可能な透視可能部が設けられ、保守点検時にその透視可能部を電気的な制御で透明化することで乗客コンベアの外部から前記ステップの内側内方を目視することが可能なことを特徴とする乗客コンベア。
【請求項２】
乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、
前記スカートガードパネルに、電気的な制御で透明、不透明化が可能な透視可能部が設けられ、保守点検時にその透視可能部を電気的な制御で透明化することで乗客コンベアの外部から前記スカートガードパネルの内側内方を目視することが可能なことを特徴とする乗客コンベア。
【請求項３】
乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、
前記ステップ及びスカートガードパネルに、それぞれ電気的な制御で透明、不透明化が可能な透視可能部が設けられ、保守点検時にその各透視可能部を電気的な制御で透明化することで乗客コンベアの外部から前記ステップの内側内方及びスカートガードパネルの内側内方を目視することが可能なことを特徴とする乗客コンベア。
【請求項４】
前記透視可能部を透明、不透明化をする電気的制御は、乗客コンベアの運転を制御する制御盤に設けられたスイッチ手段を操作することにより行なわれることを特徴とする請求項１ないし３のいずれかに記載の乗客コンベア。
【発明の詳細な説明】
【技術分野】
【０００１】
この発明は、乗客が乗る複数のステップを無限循環移動させて乗客を一方向に搬送するエスカレータや動く歩道などの乗客コンベアに関する。
【背景技術】
【０００２】
乗客コンベアとしての例えばエスカレータは、建屋の下階と上階との間に斜めに架設されるトラスを備え、このトラス内の一端部にモータで駆動される駆動輪が、他端部に従動輪がそれぞれ設けられ、これら駆動輪と従動輪との間に無端状のチェーンが巻き掛けられている。そして、乗客が乗るための複数のステップが互いに隣接して無端状に並ぶようにチェーンに取り付けられ、これらステップがチェーンと一体的にトラスに沿って建屋の下階と上階との間で無限循環移動し、この無限循環移動でステップの上に乗った乗客が一方向に搬送される。
また、ステップの両側にはスカートガードパネルが設置され、これらスカートガードパネルの上に欄干が配設され、これら欄干の縁部に無端状の手すりベルトが装着され、これら手すりベルトがステップと同期してステップと同じ速度で同じ方向に無限循環移動する。スカートガードパネルは複数の分割板に分割されていて、その各分割板がトラスの縁部に取り付けられている。
【０００３】
一般に各ステップはトラス内の保守点検を可能にするために、チェーンに対して脱着可能に取り付けられ、そのステップの取り外しによりトラス内を点検し、補修することができるようになっている（特開２００２−６８６５５公報参照）。また、スカートガードパネルの各分割板もトラスに対して脱着可能に取り付けられている。
【０００４】
エスカレータの保守点検時には、エスカレータの運転中における機械的な異音の発生や不自然な動作などの異常を点検し、異常があるときにはステップやスカートガードパネルを取り外してトラス内を目視して異常個所を特定し、その異常個所を詳細に点検し、補修する。
【先行技術文献】
【特許文献】
【０００５】
【特許文献１】特開２００２−６８６５５公報
【発明の概要】
【発明が解決しようとする課題】
【０００６】
しかしながら、異音の発生や不自然な動作などの異常があるときに、従来では、トラス内を直に目視することができないから、ある程度広い範囲に渡ってステップやスカートガードパネルを取り外して異常の発生個所を特定しなければならず、このため無駄にステップやスカートガードパネルを取り外すこととなり、点検作業の能率が低下し、労力も増大する難点がある。
【０００７】
この発明はこのような点に着目してなされたもので、その目的とするところは、ステップやスカートガードパネルの内側の様子をそのステップやスカートガードパネルを取り外すことなく目視して点検でき、したがってその目視で特定した異常個所のステップやスカートガードパネルを取り外すだけで、無駄なく効率よくその異常個所を点検し、補修することができる乗客コンベアを提供することにある。
【課題を解決するための手段】
【０００８】
このような課題を解決するために、請求項１の発明は、乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、前記ステップに、電気的な制御で透明、不透明化が可能な透視可能部を設け、保守点検時にその透視可能部を電気的な制御で透明化することで乗客コンベアの外部から前記ステップの内側内方を目視することを可能にする。
【０００９】
請求項２の発明は、乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、前記スカートガードパネルに、電気的な制御で透明、不透明化が可能な透視可能部を設け、保守点検時にその透視可能部を電気的な制御で透明化することで乗客コンベアの外部から前記スカートガードパネルの内側内方を目視することを可能にする。
【００１０】
請求項３の発明は、乗客が乗る複数のステップが無端状に連結され、そのステップの両側にスカートガードパネルが設置され、前記ステップが無限循環移動することでそのステップの上に乗った乗客が一方向に搬送される乗客コンベアにおいて、前記ステップ及びスカートガードパネルに、それぞれ電気的な制御で透明、不透明化が可能な透視可能部を設け、保守点検時にその各透視可能部を電気的な制御で透明化することで乗客コンベアの外部から前記ステップの内側内方及びスカートガードパネルの内側内方を目視することを可能にする。
【００１１】
請求項４の発明は、前記透視可能部を透明、不透明化をする電気的制御が、乗客コンベアの運転を制御する制御盤に設けられたスイッチ手段を操作することにより行なわれることを特徴としている。
【発明の効果】
【００１２】
この発明によれば、ステップやスカートガードパネルの内側の様子をそのステップやスカートガードパネルを取り外すことなく目視して点検でき、したがってその目視で特定した異常個所のステップやスカートガードパネルを取り外すだけで、無駄なく効率よくその異常個所を点検し、補修することができる。
【図面の簡単な説明】
【００１３】
【図１】この発明の一実施形態に係る乗客コンベアの外観を示す斜視図。
【図２】乗客コンベアの断面構造を示す構成図。
【図３】乗客コンベアのステップを示す斜視図。
【図４】ステップの透視可能部の構造を示す断面図。
【図５】乗客コンベアのスカートガードパネルの透視可能部の構造を示す断面図。
【図６】乗客コンベアの運転を制御する制御盤を示す正面図。
【図７】この発明の他の実施形態に係る乗客コンベアのステップを示す斜視図。
【発明を実施するための形態】
【００１４】
以下、この発明の実施形態について図面を参照して説明する。
【００１５】
図１には乗客コンベアとしてのエスカレータの外観を、図２にはその断面構造をそれぞれ示してある。このエスカレータは、建屋の下階と上階との間に斜めに架設されたトラス１を備え、このトラス１の上階側端部内が上部機械室２、下階側端部内が下部機械室３となっており、上部機械室２内に駆動輪４及びこの駆動輪４を駆動する駆動装置５が設けられ、下部機械室３内に従動輪６が設けられている。駆動輪４と従動輪６との間には無端状のチェーン７が掛け渡され、このチェーン７に複数のステップ８が無端状に連結して取り付けられている。
【００１６】
ステップ８は互いに隣接して並ぶようにチェーン７に脱着可能に取り付けられ、駆動装置５による駆動で駆動輪４が回転し、チェーン７が駆動輪４と従動輪６との間で走行することで各ステップ８が無限循環移動し、ステップ８に乗った乗客が下階から上階に、あるいは上階から下階に搬送される。
【００１７】
ステップ８の両側にはスカートガードパネル１２が設けられ、これらスカートガードパネル１２の上に欄干１３が設置され、これら欄干１３の縁部に無端状の手すりベルト１４が装着され、これら手すりベルト１４がステップ８と同期してステップ８と同じ速度で同じ方向に無限循環移動する。
【００１８】
図３にはステップ８の外観を示してあり、各ステップ８は、フレーム１７と、このフレーム１７の上に水平に取り付けられた踏板１８と、フレーム１７の前後方向の一側面に湾曲して起立するように取り付けられたライザ１９とを備え、フレーム１７の両側の側板部１７ａにはステップ８の移動用のローラ２０が回転自在に取り付けられている。
【００１９】
各ステップ８の一部、例えば踏板１８には、ステップ８の外部からステップ８の内側を透視することが可能な透視可能部２４が設けられている。図４には透視可能部２４の断面構造を示してあり、この透視可能部２４は、踏板１８に形成された開口２５と、この開口２５に嵌着された強化ガラスや強化プラスチックなどからなる透明板２６と、この透明板２６の内面に貼り付けられた電圧式の遮光パネル２７とからなる。
【００２０】
電圧式の遮光パネル２７は、電圧の印加に応じて遮光状態から透明状態に変化する素子で、例えば電圧の印加により偏光軸を生じさせて偏光ガラスとなる電圧式偏光ガラスと、前記偏光軸と直交する偏光軸を有する偏光フィルムとを重ね合わせ、前記電圧式偏光ガラスに対する電圧の印加の有無で光の透過遮断を制御するタイプや、一対の透明基板間に液晶を封入し、その液晶に電圧を印加することで液晶分子の傾きを変化させて光の透過遮断を制御するタイプのパネル素子である。
【００２１】
ステップ８の両側に設けられたスカートガードパネル１２は、図１及び図２に示すように、複数の分割板１２ａに分割され、その各分割板１２ａがトラス１にボルトなどの締結具（図示せず）を介して脱着可能に取り付けられている。そして各分割板１２ａには、スカートガードパネル１２の外部からスカートガードパネル１２の内側を透視することが可能な透視可能部３０が設けられている。
【００２２】
図５には各分割板１２ａの透視可能部３０の断面構造を示してあり、この透視可能部３０は、分割板１２ａに形成された開口３１と、この開口３１に嵌着された強化ガラスや強化プラスチックなどからなる透明板３２と、この透明板３２の内面に貼り付けられた電圧式の遮光パネル３３とからなる。
【００２３】
電圧式の遮光パネル３３は、ステップ８における透視可能部２４の遮光パネル２７と同様に、電圧の印加に応じて遮光状態から透明状態に変化する素子で、例えば電圧の印加により偏光軸を生じさせて偏光ガラスとなる電圧式偏光ガラスと、前記偏光軸と直交する偏光軸を有する偏光フィルムとを重ね合わせ、前記電圧式偏光ガラスに対する電圧の印加の有無で光の透過遮断を制御するタイプや、一対の透明基板間に液晶を封入し、その液晶に電圧を印加することで液晶分子の傾きを変化させて光の透過遮断を制御するタイプのパネル素子である。
【００２４】
トラス１の上部機械室２内には、駆動装置５を制御する制御盤３６が配設されている。この制御盤３６には、図６に示すようにエスカレータの運転状態を通常運転モードと点検運転モードとに切り換えるための点検スイッチ３７と、前記各ステップ８における透視可能部２４の遮光パネル２７及び前記スカートガードパネル１２の各分割板１２ａにおける透視可能部３０の遮光パネル３３にそれぞれ電圧を印加するための操作スイッチ３８が設けられている。操作スイッチ３８はキーの差込によりオンオフ操作が可能なキー式スイッチとなっている。
【００２５】
次に作用について説明する。
【００２６】
エスカレータは通常時には通常運転モードで運転される。
【００２７】
一方、エスカレータの保守点検時には、上部機械室２内に作業員が入り、制御盤３６の点検スイッチ３７を操作してエスカレータを通常運転モードの運転から点検運転モードに切り換える。
運転中のエスカレータに異音が発生したり、不自然な動作が認められたときには、制御盤３６の操作スイッチ３８をキーを用いてオン操作する。この操作で各ステップ８における透視可能部２４の遮光パネル２７及びスカートガードパネル１２の各分割板１２ａにおける透視可能部３０の遮光パネル３３に電圧が印加されてその各透視可能部２４，３０が不透明の状態から透明化する。
【００２８】
したがってその各透視可能部２４，３０を通して各ステップ８の内側の様子やスカートガードパネル１２の内側の様子をエスカレータの外部から目視することができる。そしてこの目視作業により異常の発生個所を特定することができる。したがって、その特定された部分のステップ８やスカートガードパネル１２の分割板１２ａを取り外すだけで、他の部分のステップ８やスカートガードパネル１２の分割板１２ａを無駄に取り外すことなく、異常発生個所に対する点検や補修などの作業を効率よく実施すことができる。なお、点検補修作業時には、エスカレータの運転を停止させることは言うまでもない。
点検補修作業の終了後には、取り外したステップ８やスカートガードパネル１２の分割板１２ａを再度所定の位置に取り付ける。そして、操作スイッチ３８をオフ操作し、さらに点検スイッチ３７を操作して点検運転モードから通常運転モードに切り換える。
操作スイッチ３８をオフ操作することで、各ステップ８における透視可能部２４の遮光パネル２７及びスカートガードパネル１２の各分割板１２ａにおける透視可能部３０の遮光パネル３３に対する電圧の印加が遮断され、各透視可能部２４，３０が透明状態から不透明状態に変わり、エスカレータの内部への目視が不能となる。したがって、通常運転モードで運転されるエスカレーを一般乗客が利用するときに、エスカレータの内部の不体裁な部分がその乗客の視界に入ることがなく、快適にエスカレータを利用することができる。
各透視可能部２４，３０の透明、不透明化を制御する操作スイッチ３８は、キーを用いて操作するキー式のスイッチであり、したがってそのキーをエスカレータの管理者のみが取り扱う方式とすることで、エスカレータの管理者以外の者による操作スイッチ３８の操作を防止することができる。
【００２９】
なお、前記実施形態では、ステップ８の踏板１８に透視可能部２４を設けるようにしたが、図７に他の実施形態として示すように、ステップ８のライザ１９に透視可能部２４を設けるような場合であってもよい。また、ステップ８の踏板１８とライザ１９との両方に透視可能部２４を設ける場合であってもよい。
さらに、前記実施形態では、ステップ８とスカートガードパネル１２との両方に透視可能部２４，３０を設けるようにしたが、そのいずれか一方のみに設ける場合であってもよい。
【００３０】
また、この発明は、エスカレータに適用する場合に限らず、各ステップがほぼ水平に移動する動く歩道などの乗客コンベアにおいても同様に適用することができる。
【符号の説明】
【００３１】
１…トラス
４…駆動輪
５…駆動装置
６…従動輪
７…チェーン
１２…スカートガードパネル
１２ａ…分割板
１７…フレーム
１７ａ…側板部
１８…踏板
１９…ライザ
２０…ローラ
２４…透視可能部
２５…開口
２６…透明板
２７…遮光パネル
３０…透視可能部
３１…開口
３２…透明板
３３…遮光パネル
３６…制御盤
３７…点検スイッチ
３８…操作スイッチ
【図１】
2011020802.tif 000003
【図２】
2011020802.tif 000004
【図３】
2011020802.tif 000005
【図４】
2011020802.tif 000006
【図５】
2011020802.tif 000007
【図６】
2011020802.tif 000008
【図７】
2011020802.tif 000009